(57)【要約】  【課題】ティッシュペーパの入れ替えが簡便で、入れ替え時期を見積ることができて、切断手段が別に必要でなくて、保管中にかびや細菌発生の恐れがなく、清潔で衛生的な状態で保管できるティッシュペーパ吐出装置を提供すること。  【解決手段】  数回で折られるが、多数個で重ねられて積層体をなすティッシュペーパを吐出するための装置であり、前記積層体を収容するが、一側に疎通口を有するカートリッジ部材と、及び前記カートリッジ部材の疎通口と隣接するように具備されて、前記積層体上のティッシュペーパをホルディングするアームを有して、前記アームによってホルディングされたティッシュペーパを軸中心の回転運動を通じて一つずつ引き出させるホルダー部材と、を含む。【選択図】  図３
2006082975.tif 000002
【特許請求の範囲】
【請求項１】
数回で折られるが、多数個で重ねられて積層体をなすティッシュペーパを吐出するための装置であって、
前記積層体を収容すると共に、一側に疎通口を有するカートリッジ部材と、及び、
前記カートリッジ部材の疎通口と隣接するように具備されて、前記積層体上のティッシュペーパをホルディングするアームを有して、前記アームによってホルディングされたティッシュペーパを軸中心の回転運動を通じて一つずつ引き出させるホルダー部材と、を含むことを特徴とする、
ティッシュペーパ吐出装置。
【請求項２】
前記カートリッジ部材は、前記積層体を収容するケースと、前記積層体の最上端を弾力支持するように前記ケースの上部に回動可能に具備される少なくとも一つ以上のストッパと、前記積層体の最下端に具備されるが、前記積層体が前記ストッパに向けて弾力支持されるように少なくとも一つ以上の弾性体によって支持される支持板でなされることを特徴とする、請求項１に記載のティッシュペーパ吐出装置。
【請求項３】
前記支持板の上、下移動をガイドするように前記支持板に挟まれた状態で前記ケースの長さ方向に沿って具備されて、前記弾性体が前記支持板の下面に位置した外周面に挟まれるガイド軸をさらに含むことを特徴とする、請求項２に記載のティッシュペーパ吐出装置。
【請求項４】
前記カートリッジ部材は、前記積層体を収容するケースと、前記積層体の最上端を弾力支持するように前記ケースの上部に回動可能に具備される少なくとも一つ以上のストッパと、前記積層体の最下端を支持するように具備された第１支持板と、該第１支持板が前記ストッパに向けて弾力支持されるように前記第１支持板の下面を支持する少なくとも一つ以上の弾性体が上部に具備される第２支持板と、前記第２支持板が前記ケースの上、下部に移動が可能に動力を供給する駆動部でなされることを特徴とする、請求項１に記載のティッシュペーパ吐出装置。
【請求項５】
前記第１及び第２支持板の上、下移動をガイドするように前記第１及び第２支持板に挟まれた状態で前記ケースの長さ方向に沿って具備されて、前記弾性体が前記第１及び第２支持板の間に位置した外周面に挟まれるガイド軸をさらに含むことを特徴とする、請求項４に記載のティッシュペーパ吐出装置。
【請求項６】
前記駆動部は、動力発生用モーターと、前記モーターから回転力を伝達されるギアと、前記ケースの長さ方向に沿って具備されて前記第２支持板を前記ギアから提供される回転力を通じて上、下移動させるように前記第２支持板に回動可能に設置されるが、前記ギアと噛合うスクリュー型経路が外周面に形成されるギア軸でなされることを特徴とする、請求項４に記載のティッシュペーパ吐出装置。
【請求項７】
前記カートリッジ部材は、前記積層体を収容するケースと、前記積層体の最下端を支持するように前記ケースの下部に回動可能に具備される少なくとも一つ以上のストッパでなされることを特徴とする、請求項１に記載のティッシュペーパ吐出装置。
【請求項８】
前記カートリッジ部材は内部に収容された積層体の確認が可能であるように視野確保用の透明窓をさらに含むことを特徴とする、請求項１に記載のティッシュペーパ吐出装置。
【請求項９】
前記アームはホルディング動作とオープン動作が可能なやっとこ型でなされるが、前記アームのホルディング動作でホルディングされたティッシュペーパは前記ホルダー部材の回転運動で前記カートリッジ部材の反対側に到逹して、これと共に前記ティッシュペーパは前記アームのオープン動作によって前記カートリッジ部材からティッシュ受けにまで延長されて多数のローラーによって駆動されるコンベヤーベルト部に安着されることを特徴とする、請求項１に記載のティッシュペーパ吐出装置。
【請求項１０】
前記コンベヤーベルト部の上部には前記ティッシュペーパが噛合った状態で前記ティッシュ受けにまで進行されるように少なくとも一つ以上の補助コンベヤーベルト部をさらに具備することを特徴とする、請求項９に記載のティッシュペーパ吐出装置。
【請求項１１】
前記コンベヤーベルト部から提供される前記ティッシュペーパがホルディングされるように前記ティッシュ受けの上部にはティッシュペーパホルディング用ストッパをさらに具備することを特徴とする請求項９または１０に記載のティッシュペーパ吐出装置。
【請求項１２】
前記ホルダー部材を通じて排出される前記ティッシュペーパに水気が含有されるようにポンプの加圧で水を噴射させる噴射ノズル部をさらに具備することを特徴とする、請求項１に記載のティッシュペーパ吐出装置。
【請求項１３】
前記噴射ノズル部は、水が保存された水槽と配管で連結されたことを特徴とする、請求項１２に記載のティッシュペーパ吐出装置。
【請求項１４】
前記水槽は、水を加熱するヒーターをさらに具備することを特徴とする、請求項１３に記載のティッシュペーパ吐出装置。
【発明の詳細な説明】
【技術分野】
【０００１】
本発明はティッシュペーパを吐出するための装置に関し、具体的には数回折られて、多数を重ねたティッシュペーパの積層体を基に、ティッシュペーパを一つずつ吐出するためのティッシュペーパ吐出装置に関するものである。
【背景技術】
【０００２】
一般的に、飲食店などでお客さんが食事する前に手を清潔に拭くことができるようにおしぼりを提供する。
【０００３】
このような従来のおしぼりは一応お客さんが使った後、再び回収した後、洗濯してお客さんに提供される。しかし、おしぼりの洗濯時に多量の水を使用することや、残留化学物質の問題及び残留細菌の内在可能性のために衛生及び環境保護上、その管理が難しいといった問題点があった。
【０００４】
前記したおしぼりの問題点を解決するために食堂などでビニール包装された使い捨てティッシュペーパが広く利用されている。
【０００５】
しかし、ビニール包装された使い捨てのウェットティッシュはウェットティッシュを包んでいる包装紙の無分別な廃棄によって環境汚染をもたらす問題点があった。
【０００６】
この外にも、最近にはティッシュペーパを巻物形態で巻いて別に具備された容器に収納して、前記容器からティッシュペーパを引き出して一定な量程度を切断して使用する方式が最近には一般飲食店、ファーストフード店及びトイレなどに広く使われている。
【０００７】
この巻物形態のティッシュペーパを自動で供給する装置が図１に示されている。
【０００８】
従来の巻物形態のティッシュペーパを自動供給する装置の一般的な形態であり、その構成は図１に示したように、ハウジング１、巻物形態で絡められたティッシュペーパ２、前記巻物形態のティッシュペーパ２を解きながら圧搾移送させる駆動ローラー３１'と従動ローラー３２'、ティッシュペーパ２に水を直接噴射して水気を含むようにする直接ウェティング手段(wetting device)５、従動ローラー３２'に水を供給してティッシュペーパ２を間接的に濡らせる間接ウェティング手段６、水に濡れたティッシュペーパ２を一定長さで切断させる上部及び下部刃８２'、８１'、切断したティッシュペーパ２を排出させるティッシュペーパ排出手段７でなされる。
【０００９】
このような従来のウェットティッシュ自動供給装置は、ウェットティッシュを使おうとする場合、水をティッシュペーパに直接噴射して濡らせた後、一定長さ程度を切断して使用する方式である。
【００１０】
前記従来技術とほとんど等しい方式を有するウェットティッシュ自動供給装置は、別に示さなかったが、韓国実用新案公開公報第１９９９−００１９０８２号及び韓国特許公開公報第１９９６−００４２２８７号などがある。
【００１１】
しかし、従来のティッシュペーパ自動供給装置らは、ハウジング内部に巻物状態でティッシュペーパが具備されるから、使用者がティッシュペーパを入れ替るのに不便であったし、前記ティッシュペーパの消耗量を直接目で確認しにくいため、ティッシュペーパをこれからどのくらいさらに使用することができるか見積りにくい問題点があった。
【００１２】
従来のティッシュペーパ自動供給装置らは、ハウジング内部に巻物状態でティッシュペーパが具備されるから、このティッシュペーパを一定長さで切断するためには刃のような所定の切断手段が別に具備されなければならないところ、この場合、刃は一定時間ティッシュペーパを切断すると、刃の部分が摩耗されて鈍くなるために、周期的に刃を入れ替ってくれなければならない不便があった。
【発明の開示】
【発明が解決しようとする課題】
【００１３】
本発明は前記した問題点を解決するために成されたものであり、ティッシュペーパの入れ替えが簡便で、ティッシュペーパの入れ替え時期を見積ることができるし、ティッシュペーパが巻物形態ではないから刃のような切断手段が別に必要でなくて、長期間密閉された空間に保管されてもかび及び細菌発生の恐れがないし、清潔な衛生状態で保管することができるティッシュペーパ吐出装置を提供することにその目的がある。
【課題を解決するための手段】
【００１４】
前記した目的を達成するための本発明の形態によれば、数回で折られるが、多数個で重ねられて積層体をなすティッシュペーパを吐出するための装置であり、前記積層体を収容するが、一側に疎通口を有するカートリッジ部材と、及び前記カートリッジ部材の疎通口と隣接するように具備されて、前記積層体上のティッシュペーパをホルディングするアームを有して、前記アームによってホルディングされたティッシュペーパを軸中心の回転運動を通じて一つずつ引き出させるホルダー部材と、を含むことを特徴とするティッシュペーパ吐出装置を提供する。
【００１５】
前記アームはホルディング動作とオープン動作が可能なやっとこ型でなされるが、前記アームのホルディング動作でホルディングされたティッシュペーパは前記ホルダー部材の回転運動で前記カートリッジ部材の反対側に到逹して、これと共に前記ティッシュペーパは前記アームのオープン動作によって前記カートリッジ部材からティッシュ受けにまで延長されて多数のローラーによって駆動されるコンベヤーベルト部に安着される。
【００１６】
前記した構成でなされる本発明の装置は、使用者がティッシュペーパを入れ替るのが便利で、ティッシュペーパが排出されないなどの誤作動がほとんどないし、従来に比べて精密性と信頼性を格段に向上させて、従来と比べて吐出時間を大幅に短縮できる效果がある。
【００１７】
さらに、前記カートリッジ部材は内部に収容された積層体の確認が可能であるように視野確保用の透明窓をさらに含む。このような理由で、ティッシュペーパの消耗量を使用者が直接目で確認することができて、ティッシュペーパをこれからどのくらいさらに使用することができるのか見積ることが容易である。
【発明の効果】
【００１８】
本発明は、ティッシュペーパを吐出するための装置に関し、従来と異なり積層体形態でティッシュペーパが具備されるから、ティッシュペーパを一定長さで切断させる作業が必要なくて、使用者がティッシュペーパを入れ替るのがずっと便利であり、ティッシュペーパの消耗量を使用者が直接目で確認することができてティッシュペーパをこれからどのくらいさらに使用することができるのか見積るのが容易な優秀な效果がある。
【００１９】
本発明は従来と異なり刃が別に具備されないから、刃の摩耗による切断效率を心配する必要がなくて、ホルダー部材を通じてカートリッジ部材に収容された積層体からティッシュペーパを一つずつ引き出させることで、ティッシュペーパが排出されないなどの誤作動がほとんどないし、従来に比べて精密性と信頼性がはるかに向上する優秀な效果がある。
【００２０】
本発明はホルダー部材の動作で積層体をなすティッシュペーパを排出することができるので、従来技術に比べて吐出時間をめっきり短縮させることができる效果がある。
【００２１】
本発明でティッシュペーパの積層体は水気を含んだ状態で保管されるものではなく、乾いた状態でカートリッジ部材に保管されることで、長期間保管してもかび及び細菌発生の恐れがなくて、清潔な衛生状態で保管することができる優秀な效果がある。
【発明を実施するための最良の形態】
【００２２】
以下、添付された図面を参照して本発明によるティッシュペーパ吐出装置の望ましい実施例を説明すれば次のようである。
【００２３】
図２は本発明によるティッシュペーパ吐出装置を示した斜視図であり、図３は本発明によるティッシュペーパ吐出装置の内部構造を示した構成図である。
【００２４】
図２及び図３に示したところのように、本発明によるティッシュペーパ６２の積層体６１を吐出するための装置はカートリッジ部材(図５、図６、及び図９に示されている。)６０、６０'、６０"及びホルダー部材９０を含む。このカートリッジ部材６０、６０'、６０"及びホルダー部材９０は本体１０３内部に設置される。このような本体１０３の外部にはカートリッジ部材６０、６０'、６０"を直接見られるように透明窓１０５が具備されて、ウェットティッシュ６４を排出する吐出口１０４が形成される。
【００２５】
前記カートリッジ部材６０、６０'、６０"は数回折られたティッシュペーパ６２が多数重ねられて積層された積層体６１を収容するが、一側に疎通口（挿通口）６３、６３、６３"を有する。
【００２６】
このティッシュペーパ６２の積層体６１は一つの連結部６２ａ及び多数の開放部６２ｂが形成されるように数回で折られたティッシュペーパ６２を多数個で具備するが、前記ティッシュペーパ６２らは連結部６２ａがお互いに重ねられて積層される。
【００２７】
図４ａは本発明によるティッシュペーパ吐出装置でティッシュペーパを折る方法の手順を示した実施例である。
【００２８】
このティッシュペーパ６２を折る方法は、図４ａに示したところのように、１．四角形象で中央部を一度折って、
２．この状態で、再び長さが長い方向に中央部位をもう一度折る。
３．その後、折られたティッシュペーパ６２で長さが長い方向にその中央部位を再び折って、
４．最後に、折られたティッシュペーパ６２で長さが短い方向にその中央部位を折る。
このように折られたティッシュペーパ６２には、一つの連結部６２ａと三つの開放部６２ｂを有する。
【００２９】
図４ｂは本発明によるティッシュペーパ吐出装置でティッシュペーパを折る方法の他の手順を示す。
【００３０】
図４ｂに示したようにティッシュペーパ６２を折る他の方法は、
１．四角形象で両側部をそれぞれ折って、
２．この状態で再び長さが長い方向に中央部位をもう一度折る。
３．この折られたティッシュペーパ６２で長さが長い方向にその中央部位を再び折って、
４．最後に折られたティッシュペーパ６２で長さが短い方向にその中央部位を折る。
このように折られたティッシュペーパ６２は前記図４ａの「４．」と同様に、一つの連結部６２ａと三つの開放部６２ｂを有する。
【００３１】
ティッシュペーパ６２を折る方法は、一つの連結部６２ａと三つの開放部６２ｂを有するために、図４ａ及び図４ｂの方法の外にも、その他多様な方法で実施しても構わない。
【００３２】
このようなティッシュペーパ６２は水気の吸収が可能な織物、または不織布でなされて、最も望ましくは、レーヨン(rayon)纎維でなされたスパンレース(spunlace)原緞でなされるのが望ましい。
【００３３】
図５は、本発明によるティッシュペーパ吐出装置でカートリッジ部材の一例を示した構成図である。
【００３４】
図５に示したところのように、前記カートリッジ部材６０はケース６５、ストッパ６６、及び支持板６７などでなされる。
【００３５】
前記ケース６５は積層体６１を収容するものであり、おおよそ直方体形象を有して上部に疎通口６３が形成されて、ケース６５の側面長さ方向には本体１０３の透明窓１０５を通じて、その内部に収容された積層体６１の確認が可能であるように視野確保用の透明窓７６がさらに具備される。このようにケース６５に透明窓７６が具備されることで、積層体６１がどのくらい残っているかを使用者が随時に確認することができる長所がある。
【００３６】
ストッパ６６は積層体６１の最上端の縁を弾力支持するようにケース６５の上部に疎通口６３と隣接するように少なくとも一つ以上具備される。このようなストッパ６６は多数回で屈曲されたプレート６８が角部位にヒンジ軸６９を中心に回動する構造であり、プレート６８の下面が積層体６１の最上端を支持して、このプレート６８とケース６５の外周面を連結するコイルスプリング７０によって積層体６１の最上端を弾力支持することができる。
【００３７】
支持板６７は積層体６１の最下端に具備されて積層体６１がストッパ６６に向けて弾力支持されるように下部に少なくとも一つ以上の弾性体７５を有する。この支持板６７の一側には一対の差し込み孔７３が形成されて、この差し込み孔７３らには一対のガイド軸７４が挟まれる。このガイド軸７４らの外周面には弾性体７５が支持板６７を弾力支持するようにそれぞれ挟まれる。そして、ガイド軸７４は支持板６７がストッパ６６に向けてガイドされるようにケース６５の長さ方向に沿って長く具備されることが望ましい。
【００３８】
図６は本発明によるティッシュペーパ吐出装置でカートリッジ部材の他の例を示した構成図である。
【００３９】
図６に示したところのように、カートリッジ部材６０'はケース６５'、ストッパ６６'、第１支持板７１、第２支持板７２、及び駆動部７７などでなされる。
【００４０】
先ず、ケース６５'は図５の実施例と同様に積層体６１を収容するものであり、おおよそ直方体形象を有して上部に疎通口６３'が形成されて、側面の長さ方向には内部に収容された積層体６１の確認が可能であるように視野確保用の透明窓７６'がさらに具備される。
【００４１】
ストッパ６６'は図５と同様に、積層体６１の最上端の縁を弾力支持するようにケース６５'の上部に疎通口６３'と隣接するように少なくとも一つ以上で具備される。このようなストッパ６６'は、多数回で屈曲されたプレート６８'が角部位にヒンジ軸６９'を中心に回動する構造であり、プレート６８'の下面が積層体６１の最上端を支持して、このプレート６８'とケース６５'の外周面を連結するコイルスプリング７０'によって積層体６１の最上端を弾力支持することができる。
【００４２】
第１支持板７１は積層体６１の最下端に具備されるものであり、第２支持板７２はケース６５'の上部に向けて弾力支持されるように上面に第１支持板７１の下面を支持する少なくとも一つ以上の弾性体７５'が具備される。
【００４３】
具体的に、第１支持板７１の一側端と第２支持板７２の一側端にはそれぞれ一対の差し込み孔７３'、７３"らが形成されて、この差し込み孔７３'、７３"らには一対のガイド軸７４'が挟まれる。このガイド軸７４'らの外周面には弾性体７５'が第２支持板７２の上面で第１支持板７１を弾力支持するように挟まれる。このガイド軸７４'らは第１及び第２支持板７１、７２がケース６５'の上部または下部に向けてガイドされるようにケース６５'の長さ方向に沿って長く具備されるのが望ましい。
【００４４】
前記駆動部７７は第２支持板７２がケース６５'の上部または下部に移動するように動力を供給する。
【００４５】
この駆動部７７はモーター８０、ギア８１、及びギア軸８３でなされる。
【００４６】
先ず、動力伝達用モーター８０は正逆回動が可能なスイッチトリラクタンスモーター(switched reluctance motor)を使用するのが望ましくて、このモーター８０の軸にはモーター８０から回転力を伝達されるギア８１が具備される。ここで、ギア８１はワーム(worm)または傘歯車群などでなされて、最も望ましくはワーム(worm)であるのが望ましい。
【００４７】
ギア軸８３はケース６５'の長さ方向に沿って具備されるが、ガイド軸７４'と並んでいるように具備されるのが望ましい。
【００４８】
このギア軸８３は第２支持板７２をギア８１から提供される回転力を通じて上、下移動させるように第２支持板７２に回動可能に設置されるが、ギア８１と噛合うスクリュー型経路８４が外周面に形成される。
【００４９】
具体的に、ギア軸８３は第２支持板７２の一側に形成される駆動孔７８に回動可能に挟まれるが、駆動孔７８とギア軸８３の接触面にはギア軸８３の円滑な回転動作のために軸受け(図示せず)が具備されるのが望ましい。
【００５０】
前記ギア軸８３の外周面にはスクリュー型経路８４が形成されるが、このスクリュー型経路８４はモーター８０の回転力を伝達されたギア８１の噛形と噛合うものである。すなわち、ギア８１が正方向または逆方向の回転力をスクリュー型経路８４を有したギア軸８３に提供すれば、第２支持板７２がギア軸８３の上方または下方動作によってケース６５'の上部に向けて移動するか、ケース６５'の下部に向けて移動するようにする。
【００５１】
図面に別に示さないが、前記モーター８０は本体１０３の内部に具備された制御部を通じて制御される。例えば、この制御部は積層体６１の荷重を感知するように第１支持板７１に加圧センサーを具備するか、積層体６１の高さを感知するようにカートリッジ部材６０に多数で位置感知センサーを具備する場合、前記制御部はセンサーらから信号を提供されて、この提供された信号と既に入力された情報を比べて算出された結果によってモーター８０の上昇または下降動作を制御するようになる。
【００５２】
一方、ホルダー部材９０、９０'はカートリッジ部材６０、６０'、６０"の疎通口６３、６３'、６３"と隣接するように具備されて、積層体６１上のティッシュペーパ６２をホルディングするアーム９１、９１'を有して、アーム９１、９１'によってホルディングされたティッシュペーパ６２を軸９２、９２'中心の回転運動を通じて一つずつ引き出させる。
【００５３】
図３に示したところのように、ホルダー部材９０は本体１０３の上部に具備されてカートリッジ部材６０内の積層体６１からティッシュペーパ６２を一つずつ引き出すことが容易であるように疎通口６３と隣接するように具備される。
【００５４】
図７は本発明によるティッシュペーパ吐出装置でホルダー部材がティッシュペーパをホルディングするまでの動作状態図であり、図８は本発明によるティッシュペーパ吐出装置でホルダー部材がティッシュペーパをホルディングした後、最初位置に復帰するまでの動作状態図である。
【００５５】
先ず、図７ではホルダー部材９０がモーター７９の正方向回転によって軸９２を中心に図５(または、図６)に示したところのようなカートリッジ部材６０の疎通口６３に向けてゆっくり回動して、このホルダー部材９０がカートリッジ部材６０の疎通口６３と隣接するようになれば、アーム９１がオープン動作する。このようにオープン動作されたアーム９１は積層体６１の最上端に位置したティッシュペーパ６２をホルディングした後、図８に示したところのようにホルダー部材９０はモーター７９の逆方向回転によって軸９２を中心に再び元々の位置に復帰するようになるが、この時、アーム９１は下記されたコンベヤーベルト部９３の上部でオープン動作しながらティッシュペーパ６２をコンベヤーベルト部９３上に安定的に安着させるようになる。ここで、モーターは正逆回動が可能なスイッチトリラクタンスモーター(switched reluctance motor)を使用するのが望ましくて、前記アーム９１はホルディング動作とオープン動作が可能なやっとこ型でなされるのが望ましい。さらに、前記アーム９１はやっとこ型でなされるが、前記ティッシュペーパ６２のホルディングが容易であるようにティッシュペーパ６２のホルディング面に多数の歯を有するのがさらに望ましい。
【００５６】
前記ホルダー部材９０とそれに具備されたアーム９１は制御部(図示せず)によって制御される。例えば、前記制御部はホルダー部材９０の動作を感知するように本体１０３の内部に多数で具備される位置感知センサー(図示せず)などを通じて信号を提供されて、この提供された信号と既に入力された情報を比べて、その算出された結果によってホルダー部材９０の回動とアーム９１のオープン動作及びホルディング動作を制御させる。
【００５７】
図８で、図７の最初位置に復帰するホルダー部材９０は下記したコンベヤーベルト部９３の上部にアーム９１のオープン動作と共にティッシュペーパ６２を安着させる。
【００５８】
一方、前記コンベヤーベルト部９３はホルダー部材９０のアーム９１のオープン動作を通じて排出されたティッシュペーパ６２をティッシュ受け９６にまで提供するようにモーター(図示せず)によって回転力を提供される多数のローラー９５で駆動するものである。
【００５９】
図３に示したように、コンベヤーベルト部９３はカートリッジ部材６０から本体１０３の吐出口１０４にまで延長されているし、本体１０３の吐出口１０４にはティッシュ受け９６が具備されている。
【００６０】
このコンベヤーベルト部９３の上部には図７及び図８に示したところのように、ティッシュペーパ６２の上、下面が噛合った状態で前記ティッシュ受け９６にまで提供されるように少なくとも一つ以上の補助コンベヤーベルト部９４をさらに具備することもできる。この補助コンベヤーベルト部９４の構成は、前記コンベヤーベルト部９３と等しくモーター(図示せず)によって回転力を提供される多数のローラー９５によってなされる。
【００６１】
このようにコンベヤーベルト部９３と補助コンベヤーベルト部９４がティッシュペーパ６２を上、下部で噛合った状態で移送させると、より安定的にティッシュペーパ６２を本体１０３の吐出口１０４にまで進行させることができる。このコンベヤーベルト部９３と補助コンベヤーベルト部９４は制御部(図示せず)を通じて制御される。
【００６２】
さらに、コンベヤーベルト部９３から提供されるティッシュペーパ６２がティッシュ受け９６にすぐ落ちないで、ホルディングされることができるように前記ティッシュ受け９６の上部、すなわち、コンベヤーベルト部９３の末端には図３に示したところのようにティッシュペーパホルディング用ストッパ６６がさらに具備される。このティッシュペーパホルディング用ストッパ６６はやっとこ形象でなされて、通常、銀行及び劇場で使われる待機表の引き出し装置や現金引き出し装置などを通じて広く公知された技術なので、ここではその構成及び機能に対する詳細な説明は省略する。
【００６３】
図３に示したところのように、本発明は前記ホルダー部材９０を通じて排出されたティッシュペーパ６２に水気が含有されるようにポンプ１００の加圧で水を噴射させる噴射ノズル部９８をさらに含む。
【００６４】
この噴射ノズル部９８は水が保存された水槽９９と配管１０１で連結される。
【００６５】
実施例で、ホルダー部材９０、９０'の側面にはポンプ１００の加圧によって水を噴射する噴射ノズル部９８が具備されて、この噴射ノズル部９８はコンベヤーベルト部９３に沿って進行するティッシュペーパ６２に水気が含有されるように水を噴霧する役割をする。
【００６６】
この噴射ノズル部９８は、図３に示したところのように、ティッシュペーパ６２の上部のみで水を噴霧することができるが、必要によって噴射ノズル部９８はティッシュペーパ６２の上部と下部で同時に水を噴霧することが可能であるようにコンベヤーベルト部９３の上部と下部にそれぞれ設置されても構わない。
【００６７】
そして、水槽９９は本体１０３の下部に具備されて、この水槽９９の一側には図示しなかったが、水を加熱するヒーターがさらに具備されるのが望ましい。
【００６８】
このようなヒーターは噴射ノズル部９８に提供される水の温度を上昇させるが、このようなヒーターの使用によって使用者に提供されるウェットティッシュ６４が冷たくなくて、暖かく維持されることができるので、使用者に常に快適さを提供することができる。
【００６９】
さらに、噴射ノズル部９８を通じて噴射された水のうちで、ティッシュペーパ６２を濡らした後、残る水が捕集されることができるようにコンベヤーベルト部９３の下部には水受け１０２がさらに具備されるのが望ましい。
【００７０】
本発明によるティッシュペーパの積層体を吐出するための装置の動作は図３、図７、及び図８に示したところのようである。
【００７１】
先ず、使用者が本体１０３の外部に具備されるウェットティッシュ引き出しボタン(図示せず)を押した場合、その信号を入力された制御部(図示せず)の制御によって前記ホルダー部材９０は図７に示したところのように、前記図５(または、図６)に示したもののようなカートリッジ部材６０の疎通口６３側に正方向回動されて、前記ホルダー部材９０が前記カートリッジ部材６０に収容された積層体６１の最上端に到達されれば、ティッシュペーパ６２がアーム９１によってホルディングされるようになる。
【００７２】
このようにアーム９１によってホルディングされたティッシュペーパ６２は図８に示したところのように、前記ホルダー部材９０の逆方向の回動でコンベヤーベルト部９３側に向けるようになって、前記ホルダー部材９０は前記コンベヤーベルト部９３と接しながら、アーム９１をオープン動作させて結局、ティッシュペーパ６２がコンベヤーベルト部９３の上面に安着されるようにする。
【００７３】
前記コンベヤーベルト部９３はローラー９５らの駆動でホルダー部材９０を通じてカートリッジ部材６０から吐出されたティッシュペーパ６２が噴射ノズル部９８の下側を経つように駆動して、この噴射ノズル部９８の下側を経つように移送されたティッシュペーパ６２はポンプ１００の加圧で噴射ノズル部９８から噴射される水によってウェットティッシュ６４になる。この時、噴射ノズル部９８から噴霧される水はヒーター(図示せず)によって暖かく暖められたのが望ましい。
【００７４】
以後、コンベヤーベルト部９３によって移送されたウェットティッシュ６４は補助コンベヤーベルト部９４を通じて上、下部がそれぞれ噛合った状態で安定するように進行して、前記ティッシュペーパホルディング用ストッパ９７のホルディング動作によって進行が停止する。
【００７５】
このように止められたウェットティッシュ６４はティッシュペーパホルディング用ストッパ９７から使用者が直接抜いてティッシュ受け９６に必要なものをあらかじめ備えて置くか、今すぐウェットティッシュ６４の必要な使用者が直接ティッシュペーパホルディング用ストッパ９７からウェットティッシュ６４を抜いて食べ物が付いた手をぬぐうか、食べ物を食べる前に手を清潔に維持するための用途で使われる。
【００７６】
図９は本発明によるティッシュペーパ吐出装置でカートリッジ部材のまた他の例を示した構成図である。
【００７７】
図９に示したところのように、カートリッジ部材６０"はケース６５"及びストッパ６６"などでなされる。
【００７８】
先ず、ケース６５"は図５及び図６に示した実施例と同様に、積層体６１を収容するものであり、おおよそ直方体形象を有して疎通口６３"が下部に形成されて、側面の長さ方向には内部に収容された積層体６１の確認が可能であるように視野確保用の透明窓７６"がさらに具備される。
【００７９】
ストッパ６６"は積層体６１の最下端の縁を弾力支持するようにケース６５"の下部に疎通口６３"と隣接するように少なくとも一つ以上で具備される。このようなストッパ６６"は多数回で屈曲されたプレート６８"が角部位にヒンジ軸６９"を中心に回動する構造であり、プレート６８"の上面が積層体６１の最下端を支持して、このプレート６８"とケース６５"の外周面を連結するコイルスプリング７０"によって積層体６１の最下端を弾力支持することができる。
【００８０】
図９でカートリッジ部材６０"は積層体６１が単純に重力によって疎通口６３"に自由落下する方式でなされるから、図５及び図６の実施例と異なり、積層体６１を下部から上部に弾力支持する手段である支持板６７、第１支持板７１及び第２支持板７２、弾性体７５、７５'などのような構成要素を別に要しない。このために図９でカートリッジ部材６０"は図５及び図６の実施例に比べて生産費用を節減することができる長所がある。
【００８１】
図１０は本発明によるティッシュペーパ吐出装置の他の例でホルダー部材がティッシュペーパをホルディングするまでの動作状態図であり、図１１は本発明によるティッシュペーパ吐出装置の他の例でホルダー部材がティッシュペーパをホルディングした後、最初位置に復帰するまでの動作状態図である。
【００８２】
図９のようなカートリッジ部材６０"がホルダー部材９０'の上部に位置する場合には、先ず、図１０に示したところのように前記モーター７９'の稼動でホルダー部材９０'が軸９２'を中心に上部に正方向回転した後、ホルダー部材９０'のアーム９１'がカートリッジ部材６０"の最下端に位置したティッシュペーパ６２をホルディングする。このアーム９１'にホルディングされたティッシュペーパ６２は図１１に示したところのように、モーター７９'の稼動でホルダー部材９０'が軸９２'を中心に下部に逆方向回転した後、ホルダー部材９０'のアーム９１'がオープン動作することで、コンベヤーベルト部９３の上部にティッシュペーパ６２を安着させる。
【００８３】
図１０及び図１１の実施例は図７及び図８の実施例よりホルダー部材９０'の回動半径が減少されることができ、速かにティッシュペーパ６２をコンベヤーベルト部９３側に吐出することができるという長所がある。
【００８４】
以上では本発明を実施例によって詳細に説明したが、本発明は実施例によって限定されず、本発明が属する技術分野において通常の知識を有するものであれば本発明の思想と精神を離れることなく、本発明を修正または変更できるであろう。
【図面の簡単な説明】
【００８５】
【図１】従来技術によるウェットティッシュ供給装置を示した断面図。
【図２】本発明によるティッシュペーパ吐出装置を示した斜視図。
【図３】本発明によるティッシュペーパ吐出装置の内部構造を示した構成図。
【図４ａ】本発明によるティッシュペーパ吐出装置でティッシュペーパを折る方法の手順を示した図。
【図４ｂ】本発明によるティッシュペーパ吐出装置でティッシュペーパを折る方法の他の手順を示した図。
【図５】本発明によるティッシュペーパ吐出装置でカートリッジ部材の一例を示した構成図。
【図６】本発明によるティッシュペーパ吐出装置でカートリッジ部材の他の例を示した構成図。
【図７】本発明によるティッシュペーパ吐出装置でホルダー部材がティッシュペーパをホルディングするまでの動作状態図。
【図８】本発明によるティッシュペーパ吐出装置でホルダー部材がティッシュペーパをホルディングした後、最初位置に復帰するまでの動作状態図。
【図９】本発明によるティッシュペーパ吐出装置でカートリッジ部材のまた他の例を示した構成図。
【図１０】本発明によるティッシュペーパ吐出装置の他の例でホルダー部材がティッシュペーパをホルディングするまでの動作状態図。
【図１１】本発明によるティッシュペーパ吐出装置の他の例でホルダー部材がティッシュペーパをホルディングした後最初位置に復帰するまでの動作状態図。
【符号の説明】
【００８６】
６０、６０'、６０"  カートリッジ部材
６１  ティッシュペーパの積層体
６２  ティッシュペーパ
６２ａ  連結部
６２ｂ  開放部
６３、６３'、６３"  疎通口
６４  ウェットティッシュ
６５、６５'、６５"  ケース
６６、６６'、６６"  ストッパ
６７  支持板
６８、６８'、６８"  プレート
６９、６９'、６９"  ヒンジ軸
７０、７０'、７０"  コイルスプリング
７１  第１支持板
７２  第２支持板
７３、７３'、７３"  差し込み孔
７４、７４'  ガイド軸
７５、７５'  弾性体
７６、７６'、７６"  透明窓
７７  駆動部
７８  駆動孔
７９、７９'、８０  モーター
８１  ギア
８３  ギア軸
８４  スクリュー型経路
９０、９０'  ホルダー部材
９１、９１'  アーム
９２、９２'  軸
９３  コンベヤーベルト部
９４  補助コンベヤーベルト部
９５、９５'  ローラー
９６  ティッシュ受け
９７  ティッシュペーパホルディング用ストッパ
９８  噴射ノズル部
９９  水槽
１００  ポンプ
１０１  配管
１０２  水受け
１０３  本体
１０４  本体の吐出口
１０５  本体の透明窓
【図１】
2006082975.tif 000003
【図２】
2006082975.tif 000004
【図３】
2006082975.tif 000005
【図４ａ】
2006082975.tif 000006
【図４ｂ】
2006082975.tif 000007
【図５】
2006082975.tif 000008
【図６】
2006082975.tif 000009
【図７】
2006082975.tif 000010
【図８】
2006082975.tif 000011
【図９】
2006082975.tif 000012
【図１０】
2006082975.tif 000013
【図１１】
2006082975.tif 000014